(57)【要約】【課題】ズボンを着脱する際に、操作を必要としないベルトを提供することである。【解決手段】ズボン３０のベルト通し３１に通される長さ調節可能なベルト本体１０の両端部にクリップ２０をそれぞれ設ける。ベルト本体１０をズボン３０前面中央部を挟んだ位置のベルト通し３１の間で略Ｃ字状に通す。そのベルト本体１０両端部のクリップ２０を、ズボン３０前面中央部を挟んだ位置のベルト通し３１にそれぞれ係止することにより、ベルト１がズボン３０前面の中央上部に取り付けられた前ボタン３２やファスナーのスライド金具３３を覆わないように装着される。これにより、ズボン３０をはいたり、脱いだりする際に、ベルト１を操作することなく前ボタン３２を外したり、スライド金具３３を上げ下げすることができる。【選択図】図２
0003130535.tif 000002
【実用新案登録請求の範囲】
【請求項１】
ズボン(３０)のベルト通し(３１)に通される長さ調節可能なベルト本体(１０)の両端部にクリップ(２０)を取り付け、前記各クリップ(２０)を前記ズボン(３０)の前面中央部を挟む位置のベルト通し(３１)のそれぞれに係止するようにしたベルト。
【請求項２】
上記ベルト本体(１０)は、伸縮可能な素材により形成された請求項１に記載のベルト。
【考案の詳細な説明】
【技術分野】
【０００１】
この考案は、ズボンのベルト通しに通され、着用中のズボンがずり落ちないようにするベルトに関する。
【背景技術】
【０００２】
一般に、着用中のズボンをずり落ちないようにするベルトは、帯状のベルト本体の一端部にピンを有するバックルを取り付け、ベルト本体の他端部の複数個所にピン孔を設けたものである。このベルト本体を着用中のズボンのベルト通しに通して、その他端部の適切な位置のピン孔にバックルのピンを係止することにより、ベルト本体をズボンの着用者のウエスト寸法に合わせた周長の環状体にして、ズボンがずり落ちるのを防止している。
【考案の開示】
【考案が解決しようとする課題】
【０００３】
しかし、上記のようなベルトを使用する場合、ズボンの着用中において環状体となっているベルトの一部が、ズボンをはいたり、脱いだりするときに用いられる前ボタンやファスナーのスライド金具を覆ってしまう。このため、前ボタンを外したりスライド金具を下げたりする際、バックルはベルト本体の他端部から外す必要がある。バックルを外すと、ズボンをはくときには、その度にベルト本体の他端部をバックルに係止する必要がある。
【０００４】
このように、バックルをベルト本体の他端部に係止したり、外したりする作業は、煩わしく、特に幼児や老人などにとっては、その作業が難しく手助けが必要な場合もあった。
【０００５】
また、ベルト本体は、通常、ズボン着用者の大きいウエスト寸法に応じるため、余裕を持って長めに形成されている。しかし、ズボンのベルト通しに通して環状体とした際、その余裕を持たせた長さ分が余って、その環状体の一部が２重になることがある。このとき、ズボンの各ベルト通しの間にベルト本体の他端部が位置すると、その他端部が飛び出し始末が悪いだけでなく見映えも悪くなる。
【０００６】
さらに、バックルの操作時に、誤ってバックルのピンで手を怪我するおそれがあり、また、転倒した際にバックルのピンが体に刺さるおそれもあり危険である。
【０００７】
そこで、ズボンを着脱する際に、操作を必要としないベルトを提供することを課題とする。
【課題を解決するための手段】
【０００８】
上記の課題を解決するために、ズボンのベルト通しに通すベルト本体の両端部にクリップを取り付け、この各クリップをズボンの前面中央部を挟んだ位置のベルト通しにそれぞれ固定し、そのベルト通しの間にベルト本体を装着するようにしたのである。
【０００９】
このように、各クリップをズボンのベルト通しにそれぞれ固定すれば、ベルト本体は環状とならず、ズボンの前ボタンやファスナーのスライド金具を覆わないように装着される。これにより、ズボンを脱いだり、はいたりするときに、ベルトの操作が不要となる。
【００１０】
また、ズボンに装着したベルト本体は、環状とならないので、従来のベルトのようにベルト本体が環状体となってその一部が重なることがなくなり、ズボン着用者の腰周りがすっきりして見映えが良くなる。
【００１１】
また、ベルト本体に設けたクリップは、ズボンのベルト通しに挟むことで係止することができ、従来のベルトのバックルのように、ピンにより係止しないため、操作時や転倒時に怪我しない。
【００１２】
この考案の構成は、ズボンのベルト通しに通される長さ調節可能なベルト本体の両端部にクリップを取り付け、前記各クリップを前記ズボンの前面中央部を挟む位置のベルト通しのそれぞれに係止するようにしたものを採用したのである。
【００１３】
上記構成において、上記ベルト本体を、伸縮可能な素材により形成したものとすれば、ベルト本体がその長さ方向に伸縮可能となる。このため、ズボン着用者が体勢を変えたときや飲食後において、ウエスト寸法の変化に応じてベルト本体が伸縮して、腹部への圧迫感を軽減することができる。
【考案の効果】
【００１４】
以上のように構成したので、この考案は、ズボンの前ボタンやファスナーのスライド金具を覆わないように装着するものであるので、ズボンを着脱する際に、操作を不要とすることができる。
【考案を実施するための最良の形態】
【００１５】
以下、この考案の実施形態を図１、図２に示す。この実施形態のベルト１は、図１（ａ）に示すように、伸縮可能なゴム紐製の帯状のベルト本体１０と、このベルト本体１０の両端部にそれぞれ設けたクリップ２０とから構成される。
【００１６】
上記ベルト本体１０は、後述するズボン３０のベルト通し３１に通すことのできる幅に形成されており、その一端側においては、ゴム紐の帯端部が一方のクリップ２０の取り付け部２３に通され折り返された状態で、ベルト本体１０の中央部にスライド可能に通されたアジャスター１３に固定されている（図１（ｂ）参照）。このアジャスター１３をベルト本体１０にスライドさせることにより、ベルト本体１０が長さ調節可能となっている。
【００１７】
一方、ベルト本体１０の他端側も、上述のベルト本体１０の一端側と同じようにアジャスター１３に固定され、ベルト本体１０が長さ調節可能となっている。なお、このベルト本体１０の他端側において、ゴム紐の帯端部を他方のクリップ２０の取り付け部２３に通し、折り返した状態で環状に縫い合すようにしてもよい。
【００１８】
また、ベルト本体１０はゴム紐製であるので、その長さ方向に伸縮可能となり、着用者が体勢を変えたときや飲食後において、ウエスト寸法の変化に応じて伸縮して、腹部への圧迫感を軽減することができる。
【００１９】
上記ベルト本体１０の両端部のクリップ２０は、図１（ｃ）、（ｄ）示すように、一対の狭持片２１、２１にこれらの開閉操作するフラップ片２２を設け、その一対の挟持片２１に前記ベルト本体１０を通す環状の取り付け部２３を固定したものである。
【００２０】
一対の挟持片２１、２１は、図１（ｃ）に示すように、それぞれの一端部が軸を介して相互に回動可能に取り付けられ他端部が開閉するものであり、この一対の挟持片２１、２１を開いた状態で、これらの間にズボンの３０のベルト通し３１を位置させる。この状態でフラップ片２２を挟持片２１に向かって押し付けることにより、一対の挟持片２１が閉じてベルト通し３１を挟み、ベルト本体１０の両側端がクリップ２０によりベルト通し３１に係止される（図２参照）。
【００２１】
このベルト１を装着するには、図２に示すように、ベルト本体１０を一端部側からズボン３０の複数のベルト通し３１に通して、ズボン３０前面中央部を挟んだ位置のベルト通し３１の間で略Ｃ字状に通す。
【００２２】
そのベルト本体１０の両端部のクリップ２０で、ズボン３０前面中央部を挟んだ位置のベルト通し３１に係止することにより、ベルト１がズボン３０前面の中央上部に取り付けられた前ボタン３２やファスナーのスライド金具３３を覆わないように装着される。このとき、アジャスター１３をスライドさせてベルト本体１０の長さを調節することで、ズボン３０のずり落ちを防止することができる。
【００２３】
上記のようにベルト１を装着することにより、ズボン３０をはいたり、脱いだりする際に、ベルト１を操作することなく前ボタン３２を外したり、スライド金具３３を上げ下げすることができる。すなわち、ベルト１を図２に示すように、装着することにより、幼児等でも容易にズボン３０を脱いだり、はいたりすることができる。
【図面の簡単な説明】
【００２４】
【図１】（ａ）実施形態のベルトの平面図、（ｂ）同上のベルト本体の一端部の側面図、（ｃ）同上のクリップの開状態を示す側面図、（ｄ）同上のベルト本体の一端部の斜視図
【図２】同上のベルトの装着状態を示す外観斜視図
【符号の説明】
【００２５】
１  ベルト
１０  ベルト本体
１３  アジャスター
２０  クリップ
２１  挟持片
２２  フラップ片
２３  取り付け部
３０  ズボン
３１  ベルト通し
３２  前ボタン
３３  スライド金具
【図１】
0003130535.tif 000003
【図２】
0003130535.tif 000004